(57)【要約】      （修正有）【課題】本発明は、室内の湿度を不必要に上げることなく、福祉施設、病院、保育園・幼稚園・学校などの広い室内空間を有する施設で使用しても、室内空間および壁、天井の除菌・消臭を経済的・効率的に行うことができる除菌・消臭システムを提供する。【解決手段】中空円筒の形状であり、超音波式噴霧装置に着脱自在に取り付けられ、中空円筒の中心軸に沿って、前記超音波式噴霧装置で発生させた次亜塩素酸水溶液の微粒子を導く管路を備える、形状・構造を有する貯水槽を備えた、ドライミストを発生する超音波式噴霧装置を用いること、および、貯水槽を超音波式噴霧装置から脱着し、貯水槽内に次亜塩素酸タブレットおよび水を投入して次亜塩素酸水溶液とした後に、この次亜塩素酸水溶液が充填された貯水槽を超音波式噴霧装置に装着することにより、解決することができる。【選択図】図３
2019154884.tif 000002
【特許請求の範囲】
【請求項１】
水に次亜塩素酸タブレットを溶解させて得られる次亜塩素酸水溶液の微粒子を用いて、室内を除菌・消臭する除菌・消臭システムであって、
下記ａ）〜ｃ）の形状・構造を有する貯水槽を備えた、ドライミストを発生する超音波式噴霧装置を用い、
前記貯水槽を前記超音波式噴霧装置から脱着し、前記貯水槽内に次亜塩素酸タブレットおよび水を投入して次亜塩素酸水溶液とした後に、この次亜塩素酸水溶液が充填された前記貯水槽を前記超音波式噴霧装置に装着することを特徴とする、次亜塩素酸タブレットを用いた除菌・消臭システム。
＜前記貯水槽の形状・構造＞
ａ）閉鎖された底面と、開口部が設けられた底面を有する中空円筒の形状である
ｂ）前記開口部が設けられた底面において、前記超音波式噴霧装置に着脱自在に取り付けられる
ｃ）前記中空円筒の中心軸に沿って、前記超音波式噴霧装置で発生させた次亜塩素酸水溶液の微粒子を、前記開口部が設けられた底面側から前記閉鎖された底面側に導く管路を備える
【請求項２】
前記貯水槽の高さが３０〜４０ｃｍであり、内容積が３，０００〜６，０００ｃｍ３であることを特徴とする請求項１に記載の除菌・消臭システム。
【請求項３】
前記超音波式噴霧装置が、ステンレス製の超音波振動子を備えることを特徴とする請求項１または２に記載の除菌・消臭システム。
【発明の詳細な説明】
【技術分野】
【０００１】
本発明は、次亜塩素酸水溶液の微粒子を室内空間に噴霧することにより、室内の湿度を不必要に上げることなく、福祉施設、病院、保育園・幼稚園・学校などの広い室内空間を有する施設で使用しても、室内空間および壁、天井の除菌・消臭を経済的・効率的に行うことのできる除菌・消臭システムに関するものである。
【背景技術】
【０００２】
インフルエンザウイルス・花粉症アレルギー・ＰＭ２．５など、空気環境に由来する様々な健康被害が指摘されている。
【０００３】
こうした劣悪な空気環境への対策として、特に室内の居住区間の湿度調整は人体の健康に及ぼす影響が大きく、インフルエンザウイルスなどの空気感染の予防対策にも非常に効果的であることから、気化式、スチーム式、超音波式などの加湿装置が広く用いられている。
【０００４】
気化式加湿装置は、水を含んだフィルターに風を当て、常温で水分を蒸発させる方式のものであり、構造が単純であり消費電力も少ないことから製造・運転に要するコスト面では優れている。しかしながら、フィルターや水タンクにレジオネラ菌などの雑菌やカビなどが発生し易いという衛生面での問題があり、また、加湿能力も低いことから、広い室内空間の加湿には適していない。
【０００５】
スチーム式加湿装置は、水を沸騰して発生させた湯気をファンにより放出する方式のものであり、水に含まれる雑菌などが煮沸で滅菌されることから衛生面で優れている。しかしながら、水を沸騰させるために大きな電力を要するというコスト面での問題があることから、広い室内空間の加湿には適していない。
【０００６】
超音波式加湿装置は、超音波振動子により、水を粒径が１〜５μｍ程度の霧状にして、ファンによって空気とともに放出する方式のものであり、加湿能力が高いうえに消費電力も少ないという特徴を有する。超音波式加湿装置には、気化式加湿装置と同様に、フィルターや水タンクにレジオネラ菌などの雑菌やカビなどが発生し易いという衛生面での問題があるが、この問題を解決するために、加湿用水に次亜塩素酸を含有させる技術が開発されている。
【０００７】
さらに、加湿器の加湿用水として、除菌・消臭性を有する薬剤を添加した水を用い、室内空間を除菌・消臭することも行われている。特に、次亜塩素酸水は、平成１４年に厚生労働省によりその強い除菌消臭性と高い安全性が認められ食品添加物として認可されたこともあり、一般に広く用いられるようになってきている。
【０００８】
特許文献１には気化式加湿装置の加湿用水として次亜塩素酸水溶液を使用することが開示されており、また、特許文献２および３には、超音波式加湿装置の加湿用水として次亜塩素酸水溶液を使用することが開示されている。
【先行技術文献】
【特許文献】
【０００９】
【特許文献１】特開２０１７−１６４３１１号公報
【特許文献２】特開平１０−２８１５０２号公報
【特許文献３】特開２００２−０９５７２８号公報
【発明の概要】
【発明が解決しようとする課題】
【００１０】
上記特許文献１〜３に開示されているように、超音波式加湿装置の加湿用水として次亜塩素酸水溶液を用いることが提案されているが、これらの加湿装置により発生するミスト（霧状の水滴）は粒径サイズが５〜６μｍ程度と大きいことから室内空間に長時間浮遊させることはできず、また、これらの加湿装置は、室内の湿度を上げることから、湿度の高い夏季における使用には適さない。
【００１１】
本件発明者は、次亜塩素酸水溶液を粒径サイズが０．５μｍ程度のミスト（以下、「ドライミスト」という。）として室内空間に噴霧することにより、室内の湿度を不必要に上げることなく、ドライミストを室内空間に長時間浮遊させることができ、室内空間および壁、天井の除菌・消臭を経済的・効率的に行えることを見出し、その実現について鋭意検討を重ね、本発明を成したものである。
【００１２】
すなわち、本発明の課題は、室内の湿度を不必要に上げることなく、福祉施設、病院、保育園・幼稚園・学校などの広い室内空間を有する施設で使用しても、室内空間および壁、天井の除菌・消臭を経済的・効率的に行える除菌・消臭システムを提供することにある。
【課題を解決するための手段】
【００１３】
本発明では、
ａ）閉鎖された底面と、開口部が設けられた底面を有する中空円筒の形状である、
ｂ）前記開口部が設けられた底面において、超音波式噴霧装置に着脱自在に取り付けられる、および
ｃ）前記中空円筒の中心軸に沿って、前記超音波式噴霧装置で発生させた次亜塩素酸水溶液の微粒子を、前記開口部が設けられた底面側から前記閉鎖された底面側に導く管路を備えるという形状・構造を有する貯水槽を用いること、および、
貯水槽を超音波式噴霧装置から脱着し、貯水槽内に次亜塩素酸タブレットおよび水を投入して次亜塩素酸水溶液とした後に、この次亜塩素酸水溶液が充填された貯水槽を超音波式噴霧装置に装着すること、により、
次亜塩素酸水溶液のドライミストを室内空間に噴霧して、室内の湿度を不必要に上げることなく、次亜塩素酸水溶液のドライミストを室内空間に長時間浮遊させることができ、福祉施設、病院、保育園・幼稚園・学校などの広い室内空間を有する施設で使用しても、室内空間および壁、天井の除菌・消臭を経済的・効率的に行うことができる。
【００１４】
本発明の要旨を以下に示す。
（１）水に次亜塩素酸タブレットを溶解させて得られる次亜塩素酸水溶液の微粒子を用いて、室内を除菌・消臭する除菌・消臭システムであって、下記ａ）〜ｃ）の形状・構造を有する貯水槽を備えた、ドライミストを発生する超音波式噴霧装置を用い、前記貯水槽を前記超音波式噴霧装置から脱着し、前記貯水槽内に次亜塩素酸タブレットおよび水を投入して次亜塩素酸水溶液とした後に、この次亜塩素酸水溶液が充填された前記貯水槽を前記超音波式噴霧装置に装着することを特徴とする、次亜塩素酸タブレットを用いた除菌・消臭システム。
＜前記貯水槽の形状・構造＞
ａ）閉鎖された底面と、開口部が設けられた底面を有する中空円筒の形状である
ｂ）前記開口部が設けられた底面において、前記超音波式噴霧装置に着脱自在に取り付けられる
ｃ）前記中空円筒の中心軸に沿って、前記超音波式噴霧装置で発生させた次亜塩素酸水溶液の微粒子を、前記開口部が設けられた底面側から前記閉鎖された底面側に導く管路を備える
（２）前記貯水槽の高さが３０〜４０ｃｍであり、内容積が３，０００〜６，０００ｃｍ３であることを特徴とする（１）に記載の除菌・消臭システム。
（３）前記超音波式噴霧装置が、ステンレス製の超音波振動子を備えることを特徴とする（１）または（２）に記載の除菌・消臭システム。
【発明の効果】
【００１５】
本発明の除菌・消臭システムでは、超音波噴霧装置で発生させた次亜塩素酸水溶液のドライミストを室内空間に噴霧して、室内の湿度を不必要に上げることなく、次亜塩素酸水溶液のドライミストを室内空間に長時間浮遊させることができ、福祉施設、病院、保育園・幼稚園・学校などの広い室内空間を有する施設で使用しても、室内空間および壁、天井の除菌・消臭を経済的・効率的に行うことができる。
【００１６】
さらに、本発明の除菌・消臭システムでは、超音波式噴霧装置の貯水槽として、
ａ）閉鎖された底面と、開口部が設けられた底面を有する中空円筒の形状である、
ｂ）前記開口部が設けられた底面において、前記超音波式噴霧装置に着脱自在に取り付けられる、
ｃ）前記中空円筒の中心軸に沿って、前記超音波式噴霧装置で発生させた次亜塩素酸水溶液の微粒子を、前記開口部が設けられた底面側から前記閉鎖された底面側に導く管路を備える貯水槽を用いるため、次亜塩素酸水溶液のドライミストを選択的に発生させることができ、また、次亜塩素酸水溶液の消費量を減じることができ、超音波式噴霧装置への水の補給頻度も減じることができる。
【００１７】
さらに、本発明の除菌・消臭システムでは、次亜塩素酸水溶液の製造を、貯水槽内に次亜塩素酸タブレットおよび水を投入して行うため、超音波式噴霧装置の構造を大型化・複雑化することなく、製造コストを低減でき、メンテナンスも容易である。
【００１８】
また、前記貯水槽の高さを３０〜４０ｃｍ、内容積を３，０００〜６，０００ｃｍ３とすることにより、次亜塩素酸水溶液のドライミストを選択的に効率良く発生させることができ、超音波式噴霧装置への水の補給頻度を更に減らすことができる。
【００１９】
また、超音波式噴霧装置の超音波振動子として、ステンレス製の超音波振動子を用いることにより、超音波振動子の耐用使用時間を延ばすことができる。
【００２０】
このように、本発明の除菌・消臭システムは、室内の湿度を不必要に上げることなく、福祉施設、病院、保育園・幼稚園・学校などの広い室内空間を有する施設で使用しても、室内空間および壁、天井の除菌・消臭を経済的・効率的に行うことができる優れたものである。
【図面の簡単な説明】
【００２１】
【図１】本発明の除菌・消臭システムに用いられる貯水槽を備えた超音波式噴霧装置の一実施形態を示す正面外観図である。
【図２】図１に示す貯水槽を備えた超音波式噴霧装置の側面外観図である。
【図３】図１および図２に示す貯水槽を備えた超音波式噴霧装置のＡ−Ａ断面を示す模式図である。
【発明を実施するための形態】
【００２２】
以下、本発明の除菌・消臭システムについて、図面も用いながら詳細に説明する。
本発明の除菌・消臭システムの主たる特徴は、
１）下記ａ）〜ｃ）の形状・構造を有する貯水槽を備えた超音波式噴霧装置を用いること
ａ）閉鎖された底面と、開口部が設けられた底面を有する中空円筒の形状である
ｂ）前記開口部が設けられた底面において、前記超音波式噴霧装置に着脱自在に取り付けられる
ｃ）前記中空円筒の中心軸に沿って、前記超音波式噴霧装置で発生させた次亜塩素酸水溶液の微粒子を、前記開口部が設けられた底面側から前記閉鎖された底面側に導く管路を備える、および
２）前記貯水槽を前記超音波式噴霧装置から脱着し、前記貯水槽内に次亜塩素酸タブレットおよび水を投入して次亜塩素酸水溶液とした後に、この次亜塩素酸水溶液が充填された前記貯水槽を前記超音波式噴霧装置に装着すること
にあり、これにより、室内の湿度を不必要に上げることなく、福祉施設、病院、保育園・幼稚園・学校などの広い室内空間を有する施設で使用しても、室内空間および壁、天井の除菌・消臭を経済的・効率的に行うことができるという優れた作用効果を発揮する。
【００２３】
まず、本発明の除菌・消臭システムに用いられる貯水槽を備えた超音波式噴霧装置の一実施形態を図１〜図３を用いて説明する。図１はこの貯水槽を備えた超音波式噴霧装置の正面外観図であり、図２は側面外観図、図３は図２のＡ−Ａ断面を示す模式図である。
【００２４】
＜次亜塩素酸＞
次亜塩素酸は塩素系の消毒剤で、細菌などに触れると強力な酸化作用によって殺菌し、非常に多くの種類の微生物やウイルスなどに対して良好な消毒効果を有している。さらに、次亜塩素酸は残留性に乏しく、人体に対して安全性が高いことから、次亜塩素酸水溶液を空気中に噴霧することにより、室内空間に浮遊している微生物やウイルスを不活性化させることができる。
【００２５】
＜貯水槽の形状・構造・機能＞
図１および図２に示すように、本発明の貯水槽を備えた超音波式噴霧装置には、超音波式噴霧装置１に、次亜塩素酸水溶液を貯留する、中空円筒形状の貯水槽２が着脱自在に取り付けられている。
【００２６】
図３に示すように、中空円筒形状の貯水槽２は、側面の両側の２つの底面として、閉鎖された底面２−１と、開口部２−３が設けられた底面２−２を有している。
【００２７】
この開口部２−３は、後で詳しく説明するように、貯水槽２を超音波式噴霧装置１に装着して、貯水槽２に貯留された次亜塩素酸水溶液を、超音波式噴霧装置１の霧化室３の水相部に供給する際の供給口として用いられると共に、貯水槽２を超音波式噴霧装置１から脱着して、貯水槽２内に次亜塩素酸タブレットおよび水を投入して次亜塩素酸水溶液とする際の供給口として用いられる。なお、図示していないが、次亜塩素酸水溶液を貯留した貯水槽２を超音波式噴霧装置１に装着する際に、開口部２−３から次亜塩素酸水溶液が排出されないようにするため、開口部２−３には公知の各種給水弁を設けることができる（例えば、開口部２−３を開閉する球状給水弁を設けると共に、超音波式噴霧装置１の霧化室３の水相部の対応する箇所に、この球状給水弁を上下に動かして開閉するボス部を設けることができる。）。
【００２８】
また、貯水槽２には、中空円筒形状の中心軸に沿って、超音波式噴霧装置１で発生させた次亜塩素酸水溶液の微粒子を、開口部２−３が設けられた底面２−２側から閉鎖された底面２−１側に導く管路２−５が設けられている。
【００２９】
また、開口部２−３が設けられた底面２−２の一部に、超音波式噴霧装置１の霧化室３の水相部表面にエアを供給するための通風路４を形成するための凹部２−４を設けるのが好ましい。
【００３０】
＜超音波式噴霧装置の形状・構造・機能＞
次に、図３を用いて、超音波式噴霧装置１において、次亜塩素酸水溶液の微粒子を発生させる機構について説明する。
【００３１】
貯水槽２の開口部２−３を通じて、超音波式噴霧装置１の霧化室３の水相部に次亜塩素酸水溶液が供給される。霧化室３の水相部の底部には、超音波振動子６が保持具７を介して水密に固定されており、超音波振動子６に駆動電力を供給する駆動回路などが実装された回路基板８がその下部に配設されている。
【００３２】
駆動電力を供給して超音波振動子６から超音波を放出することにより、霧化室３の水相部の次亜塩素酸水溶液を霧化し、発生した次亜塩素酸水溶液の微粒子を、管路２−５を通じて上昇させ、閉鎖された底面２−１の噴霧口２−６より外部に放出する。
【００３３】
また、通風路４を通じて、送風ファン５により外部から導入されたエアを、霧化室３の水相部表面に供給することにより、発生した次亜塩素酸水溶液の微粒子の噴霧口２−６からの放出量を増加することができる。
【００３４】
＜貯水槽における次亜塩素酸水溶液の製造＞
本発明の除菌・消臭システムでは、上記のような形状・構造・機能を有する貯水槽を備えた超音波式噴霧装置を用いることにより、次亜塩素酸水溶液の製造を、貯水槽内に次亜塩素酸タブレットおよび水を投入して行うことができる。
【００３５】
これについて、図３を用いて説明する。
図３は、貯水槽２が超音波式噴霧装置１に装着された状態を示しており、貯水槽２に貯留された次亜塩素酸水溶液が超音波式噴霧装置１の霧化室３の水相部に供給され、発生した次亜塩素酸水溶液の微粒子は、管路２−５を通じて上昇し、噴霧口２−６より外部に放出されている。
【００３６】
貯水槽２に貯留された次亜塩素酸水溶液が減少し補給する必要が生じた際には、貯水槽２を超音波式噴霧装置１から脱着し、貯水槽２の開口部２−３から次亜塩素酸タブレットおよび水を投入して次亜塩素酸水溶液とした後に、貯水槽２を超音波式噴霧装置１に装着することにより、貯水槽２に次亜塩素酸水溶液を補給する。
【００３７】
このように、本発明の除菌・消臭システムでは、超音波噴霧装置で発生させた次亜塩素酸水溶液のドライミストを室内に噴霧して、室内の湿度を不必要に上げることなく、次亜塩素酸水溶液のドライミストを室内空間に長時間浮遊させることができ、福祉施設、病院、保育園・幼稚園・学校などの広い室内空間を有する施設で使用しても、室内空間および壁、天井の除菌・消臭を経済的・効率的に行うことができる。
【００３８】
すなわち、次亜塩素酸水溶液のドライミストは室内空間に長時間浮遊し、広い室内空間で使用しても、室内空間の全体に次亜塩素酸水溶液のドライミストを行き渡らせることができるため、福祉施設、病院、保育園・幼稚園・学校などの広い室内空間を有する施設で使用しても、次亜塩素酸水溶液の除菌・消臭作用を十分に発揮することができる。
【００３９】
さらに、次亜塩素酸水溶液のドライミストは、わずかな空気対流によっても室内空間の隅々まで行き渡るため、室内空間に浮遊する細菌、ウイルス、臭いなどだけでなく、壁、天井に付着している細菌、ウイルス、臭いなどにも除菌・消臭作用を発揮することができる。
【００４０】
さらに、本発明の除菌・消臭システムでは、貯水槽を中空円筒形状とすることにより、次亜塩素酸水溶液の貯水量を大きくすることができ、超音波式噴霧装置への水の補給頻度を減らすことができる。
【００４１】
さらに、本発明の除菌・消臭システムでは、中空円筒形状の貯水槽の中心軸に沿って、超音波式噴霧装置で発生させた次亜塩素酸水溶液の微粒子を、閉鎖された底面側に導く管路を設けることにより、次亜塩素酸水溶液のドライミストを選択的に発生させることができる。すなわち、霧化された、霧化室３の水相部の次亜塩素酸水溶液の微粒子は、管路２−５を通じて上昇するが、粒径の比較的大きな微粒子は噴霧口２−６に達する前に降下して霧化室３の水相部に戻り、粒径の比較的小さな微粒子は管路２−５，噴霧口２−６を通じて外部に放出されるため、管路２−５の垂直方向の長さを調節することにより、次亜塩素酸水溶液のドライミストを選択的に発生させることができる。このため、室内の湿度を不必要に上げることなく、また、次亜塩素酸水溶液を無駄に消費することなく、室内空間および壁、天井の除菌・消臭を経済的・効率的に行うことができる。
【００４２】
さらに、本発明の除菌・消臭システムでは、貯水槽を超音波式噴霧装置に着脱自在に取り付け、貯水槽を前記超音波式噴霧装置から脱着して貯水槽内に次亜塩素酸タブレットおよび水を投入して次亜塩素酸水溶液とすることにより、超音波式噴霧装置の構造を大型化・複雑化することなく、多量の次亜塩素酸水溶液を迅速かつ経済的に供給することができる。
【００４３】
＜貯水槽の高さ・内容積＞
本発明の除菌・消臭システムに用いられる貯水槽２の高さは、次亜塩素酸水溶液の貯水量、前記のように次亜塩素酸水溶液のドライミストの選択的・効率的な発生など考慮して適宜設計することができるが、通常３０〜４０ｃｍ、好ましくは３４〜３８ｃｍ、より好ましくは３５〜３７ｃｍとする。
【００４４】
また、この貯水槽２の内容積は、次亜塩素酸水溶液の貯水量、次亜塩素酸水溶液のドライミストを選択的に効率良く発生させるための貯水槽２の高さなどを考慮して適宜設計することができるが、通常３，０００〜６，０００ｃｍ３、好ましくは３，５００〜５，５００ｃｍ３、より好ましくは４，０００〜５，０００ｃｍ３とする。
【００４５】
＜超音波振動子の素材＞
本発明の除菌・消臭システムに用いられる超音波式噴霧装置の超音波振動子としては、ステンレス製の超音波振動子を用いることが好ましい。超音波式噴霧装置の超音波振動子として、ステンレス製の超音波振動子を用いることにより、超音波振動子の耐用使用時間を延ばすことができる。
【００４６】
一般の超音波式加湿装置では、セラミック製の超音波振動子が用いられており、耐用使用時間が５，０００時間程度であるが、ステンレス製の超音波振動子を用いた場合には、耐用使用時間を１０，０００時間程度に延ばすことができる。特に長時間連続して使用する超音波式噴霧装置においては、長時間メンテナンス無しで使用できることは大きな利点である。
【００４７】
以上に説明したように、本発明の除菌・消臭システムは、室内の湿度を不必要に上げることなく、室内空間および壁、天井の除菌・消臭を経済的・効率的に行うことができるという優れた作用効果を奏するものである。
【００４８】
特に、本発明の除菌・消臭システムは、福祉施設、病院、保育園・幼稚園・学校などの広い室内空間を有する施設で使用しても、室内空間および壁、天井の除菌・消臭を経済的・効率的に行うことができるという格段に優れた作用効果を奏するものである。
【符号の説明】
【００４９】
１        超音波式噴霧装置
２        貯水槽
２−１    閉鎖された底面
２−２    開口部が設けられた底面
２−３    開口部
２−４    （通風路を形成する）凹部
２−５    管路
２−６    噴霧口
３        霧化室
４        通風路
５        送風ファン
６        超音波振動子
７        保持具
８        回路基板
【図１】
2019154884.tif 000003
【図２】
2019154884.tif 000004
【図３】
2019154884.tif 000005